(57)【要約】  【課題】訪問業務の効率化を図ることができる訪問先管理技術を提供する。  【解決手段】訪問業務で取り扱う複数の訪問先Ａ〜Ｃを管理する訪問先管理システムであって、訪問先管理装置１と、複数の訪問先Ａ〜Ｃ毎に、訪問先の居宅内の少なくとも一つの部屋の出入口に設置された通過検知センサ２と、を備えている。訪問先管理装置１は、複数の訪問先Ａ〜Ｃ毎に、訪問先の居宅内に設置された通過検知センサ２により所定時間内（例えば２４時間以内）に検知された被訪問者の通過回数を管理する。そして、複数の訪問先Ａ〜Ｃ各々の所定時間内における被訪問者の通過回数に基づいて、複数の訪問先Ａ〜Ｃ間の優先順位を決定する。【選択図】図１
2019194812.tif 000002
【特許請求の範囲】
【請求項１】
訪問業務における複数の訪問先を管理する訪問先管理システムであって、
訪問先管理装置と、前記訪問先毎に、当該訪問先の居宅内の少なくとも一つの部屋の出入口に設置された通過検知センサと、を備え
前記訪問先管理装置は、
前記訪問先毎に、当該訪問先の居宅内に設置された前記通過検知センサにより所定時間内に検知された被訪問者の通過回数を管理する通過状況管理手段と、
前記通過状況管理手段により管理されている前記複数の訪問先各々の前記所定時間内における被訪問者の通過回数に基づいて、前記複数の訪問先の優先順位を決定する優先順位決定手段と、を有する
ことを特徴とする訪問先管理システム。
【請求項２】
請求項１に記載の訪問先管理システムであって、
前記通過状況管理手段は、
前記訪問先毎に、前記通過回数に加えて、当該訪問先の居宅内に設置された前記通過検知センサにより最後に検知された被訪問者の通過日時である最終通過日時を管理しており、
前記優先順位決定手段は、
前記通過回数が同数である前記訪問先が複数存在する場合、当該複数の前記訪問先間の優先順位を、前記通過状況管理手段により管理されている前記最終通過日時の古い順番に決定する
ことを特徴とする訪問先管理システム。
【請求項３】
請求項２に記載の訪問先管理システムであって、
前記通過状況管理手段は、
前記訪問先毎に、前記通過回数および前記最終通過日時に加えて、被訪問者の通過を最後に検知した前記通過検知センサの設置場所である第一検知場所、および被訪問者の通過を最後の一つ前に検知した前記通過検知センサの設置場所である第二検知場所を管理しており、
前記訪問先管理装置は、
前記訪問先毎に、前記通過状況管理手段により管理されている前記第一検知場所および前記第二検知場所に基づいて、被訪問者の滞在場所を推定する滞在場所推定手段をさらに有し、
前記優先順位決定手段は、
前記訪問先毎に、前記通過検知センサが出入口に設置された部屋のうちの少なくとも一つを要監視場所に設定しており、前記滞在場所推定手段により推定された被訪問者の滞在場所が前記要監視場所に設定されている前記訪問先がある場合、前記最終通過日時からの経過時間が所定の監視時間以上ならば、前記通過回数にかかわらず、当該訪問先の訪問を優先する
ことを特徴とする訪問先管理システム。
【請求項４】
請求項３に記載の訪問先管理システムであって、
前記訪問先管理装置は、
前記優先順位決定手段により決定された前記複数の訪問先の優先順位を訪問者の端末に送信する送信手段と、
前記訪問先毎に、出入口に前記通過検知センサが設置された部屋を含む当該訪問先の居宅内のマップデータを記憶するマップデータ記憶手段と、
前記訪問先毎に、前記滞在場所推定手段により推定された被訪問者の滞在場所の変遷情報を記憶する変遷情報記憶手段と、
前記訪問者の端末から訪問先の指定を伴う動線取得要求を受信した場合に、当該訪問先に対応付けられて前記マップデータ記憶手段に記憶されているマップデータ、および当該訪問先に対応付けられて前記変遷情報記憶手段に記憶されている変遷情報に基づいて、当該訪問先の居宅内における被訪問者の動線情報を生成する動線情報生成手段と、をさらに有し、
前記送信手段は、
前記マップデータ取得要求で指定されている訪問先について前記動線情報生成手段により生成された前記動線情報を、前記マップデータ記憶手段に記憶されている当該訪問先の居宅内のマップデータとともに、前記訪問者の端末に送信する
ことを特徴とする訪問先管理システム。
【請求項５】
請求項１ないし４のいずれか一項に記載の訪問先管理システムにおいて用いられることを特徴とする訪問先管理装置。
【請求項６】
訪問業務で取り扱う複数の訪問先を管理する訪問先管理方法であって、
前記訪問先毎に、当該訪問先の居宅内の少なくとも一つの部屋の出入口に、訪問先管理装置に接続された通過検知センサを設置し、
前記訪問先管理装置は、
前記訪問先毎に、当該訪問先の居宅内に設置された前記通過検知センサにより所定時間内に検知された被訪問者の通過回数を管理し、
前記通過状況管理手段により管理されている前記複数の訪問先各々の前記所定時間内における被訪問者の通過回数に基づいて、前記複数の訪問先の優先順位を決定する
ことを特徴とする訪問先管理方法。
【発明の詳細な説明】
【技術分野】
【０００１】
本発明は、訪問業務で取り扱う複数の訪問先を管理する訪問先管理技術に関する。
【背景技術】
【０００２】
特許文献１には、住戸内に複数の検知手段を設けることなく、かつ少ない消費電力で住居者の異常を早期に検知して通報し、孤独死を防止または早期発見することができる通報システムが開示されている。
【０００３】
この通報システムは、居住者異常検知器と、通報装置と、を備えている。居住者異常検知器は、居住者が必ず立ち寄る場所に設置され、居住者の動きを検出する動体検出部と、動体検出部にて居住者の動きが検出されない時間を計測するとともに、動体検出部が居住者の動きを検出すると初期化される時計部と、時計部での計測時間が所定時間に到達した場合に異常と判断する制御部と、制御部が異常と判断した場合に居住者異常信号を通報装置に送信する送信部と、を有する。また、通報装置は、居住者異常検知器から居住者異常信号を受信する受信部と、受信部が居住者異常信号を受信した場合に監視センタ等の所定の通報先に居住者異常情報を通報する通信部と、を有する。
【先行技術文献】
【特許文献】
【０００４】
【特許文献１】特開２０１５−１８１６号公報
【発明の概要】
【発明が解決しようとする課題】
【０００５】
近年、独り暮らしの高齢者の増加に伴い、行政等による訪問業務（在宅確認）の負担が増大している。しかしながら、特許文献１に記載の通報システムは、孤独死を防止または早期発見することを目的とするものであり、複数の訪問先を取り扱う訪問業務の効率化を図ることについては何ら考慮されていない。
【０００６】
本発明は、上記事情に鑑みてなされたものであり、本発明の目的は、訪問業務の効率化を図ることができる訪問先管理技術を提供することにある。
【課題を解決するための手段】
【０００７】
上記課題を解決するために、本発明では、訪問先毎に、訪問先の居宅内の少なくとも一つの部屋の出入口に通過検知センサを設置して、通過検知センサにより検知された被訪問者の通過回数を管理する。そして、各訪問先の所定時間内における被訪問者の通過回数に基づいて、各訪問先の優先順位を決定する。
【０００８】
例えば、本発明は、
訪問業務における複数の訪問先を管理する訪問先管理システムであって、
訪問先管理装置と、前記訪問先毎に、当該訪問先の居宅内の少なくとも一つの部屋の出入口に設置された通過検知センサと、を備え
前記訪問先管理装置は、
前記訪問先毎に、当該訪問先の居宅内に設置された前記通過検知センサにより所定時間内に検知された被訪問者の通過回数を管理する通過状況管理手段と、
前記通過状況管理手段により管理されている前記複数の訪問先各々の前記所定時間内における被訪問者の通過回数に基づいて、前記複数の訪問先の優先順位を決定する優先順位決定手段と、を有する。
【発明の効果】
【０００９】
本発明では、訪問先の居宅内の少なくとも一つの部屋の出入口に通過検知センサを設置して、通過検知センサにより検知された被訪問者の通過回数を管理する。そして、各訪問先の所定時間内における被訪問者の通過回数に基づいて、各訪問先の優先順位を決定する。したがって、本発明によれば、被訪問者が何らかの理由により居宅内を移動できない等、異常の可能性の高い訪問先を優先的に訪問することができ、無駄な訪問業務を増やすことなく、異常の早期発見が可能となり、訪問業務の効率化を図ることができる。
【図面の簡単な説明】
【００１０】
【図１】図１は、本発明の一実施の形態に係る訪問先管理システムの概略構成図である。
【図２】図２は、本発明の一実施の形態に係る訪問先管理システムの第一の動作例を説明するためのシーケンス図である。
【図３】図３は、本発明の一実施の形態に係る訪問先管理システムの第二の動作例を説明するためのシーケンス図である。
【図４】図４は、訪問先管理装置１の概略機能構成図である。
【図５】図５は、訪問先データ記憶部１０８の登録内容例を模式的に表した図である。
【図６】図６は、設置場所データ記憶部１０９の登録内容例を模式的に表した図である。
【図７】図７は、通過履歴データ記憶部１１０の登録内容例を模式的に表した図である。
【図８】図８は、滞在変遷履歴データ記憶部１１１の登録内容例を模式的に表した図である。
【図９】図９は、訪問先管理装置１の動作を説明するためのフロー図である。
【図１０】図１０は、訪問者端末３に表示される優先訪問通知の一例を示す図である。
【図１１】図１１は、図９に示す通過履歴データ・滞在変遷履歴データ更新処理Ｓ５を説明するためのフロー図である。
【図１２】図１２は、図９に示す優先順位決定処理Ｓ７を説明するためのフロー図である。
【図１３】図１３は、訪問者端末３に表示される優先順位通知の一例を示す図である。
【図１４】図１４は、図９に示す動線情報生成処理Ｓ９を説明するためのフロー図である。
【図１５】図１５は、訪問者端末３に表示される動線通知の一例を示す図である。
【発明を実施するための形態】
【００１１】
以下に、本発明の一実施の形態について図面を参照して説明する。
【００１２】
図１は、本実施の形態に係る訪問先管理システムの概略構成図である。
【００１３】
本実施の形態に係る訪問先管理システムは、行政等が訪問業務で訪問する複数の世帯（訪問先）Ａ〜Ｃを管理するためのものであり、図示するように、訪問先管理装置１と、訪問先Ａ〜Ｃ毎に訪問先の居宅内に設置された通過検知センサ２と、訪問者端末３と、を備えている。通過検知センサ２および訪問者端末３は、アクセスポイント（ＡＰ）５およびＷＡＮ４を介して訪問先管理装置１に接続されている。なお、図１では、訪問先が３件（訪問先Ａ〜Ｃ）の場合を示しているが、訪問先は複数であればよい。
【００１４】
通過検知センサ２は、訪問先の居宅内の少なくとも一つの部屋（居間、浴室、寝室等）の出入口に設置され、被訪問者の出入口通過を検知する。そして、自通過検知センサ２の識別情報であるセンサＩＤおよび自通過検知センサ２が設置された訪問先の識別情報である訪問先ＩＤを伴う検知信号を、アクセスポイント５およびＷＡＮ４を介して訪問先管理装置１に送信する。例えば、通過検知センサ２は、部屋の出入口の両側に設置されたビーコン送信器およびビーコン受信器で構成され、ビーコン送信器から送信されたビーコン信号をビーコン受信器で受信する。ビーコン受信器は、被訪問者が出入口を通過する際にビーコン信号が遮断されることによって生じるビーコン信号の受信強度低下を被訪問者の通過として検知し、検知信号を訪問先管理装置１に送信する。あるいは、通過検知センサ２は、部屋の出入口の両側に設置された発光器および受光器で構成され、発光器から射出された光信号を受光器で受光する。受光器は、被訪問者が出入口を通過する際に光信号が遮断されることによって生じる光信号の受光強度低下を被訪問者の通過として検知し、検知信号を訪問先管理装置１に送信する。
【００１５】
訪問先管理装置１は、通過検知センサ２より受信した検知信号に従い、訪問先Ａ〜Ｃ毎に、訪問先の居宅内に設置された通過検知センサ２により所定時間内（例えば２４時間以内）に検知された被訪問者の通過回数を管理する。そして、訪問先Ａ〜Ｃ各々の所定時間内における被訪問者の通過回数に基づいて訪問先Ａ〜Ｃの優先順位を決定し、ＷＡＮ４およびアクセスポイント５を介して訪問者端末３に訪問先Ａ〜Ｃの優先順位を送信する。
【００１６】
図２は、本実施の形態に係る訪問先管理システムの第一の動作例を説明するためのシーケンス図である。
【００１７】
訪問先Ａ〜Ｃ各々の居宅内に設置された通過検知センサ２は、被訪問者の通過を検知する都度、自通過検知センサ２のセンサＩＤおよび自通過検知センサ２が設置された訪問先の訪問先ＩＤを伴う検知信号を、アクセスポイント５およびＷＡＮ４を介して訪問先管理装置１に送信する（Ｓ１００〜Ｓ１０２）。
【００１８】
訪問先管理装置１は、訪問先Ａ〜Ｃ毎に、訪問先の居宅内に設置された通過検知センサ２をその設置場所（居間、浴室、寝室等）に対応付けて管理するとともに、通過検知センサ２が設置された部屋の出入口における被訪問者の通過状況を管理している。訪問先管理装置１は、通過検知センサ２から検知信号を受信すると、この検知信号に付加されている訪問先ＩＤおよびセンサＩＤに基づいて、この通過検知センサ２が居宅内に設置されている訪問先およびその居宅内における設置場所を特定し、特定した訪問先の通過履歴データおよび滞在変遷履歴データを更新する（Ｓ１０３）。
【００１９】
具体的には、特定した訪問先の通過履歴データに、検知信号を送信した通過検知センサ２のセンサＩＤおよび検知信号の受信日時を含む通過履歴を追加する。また、通過履歴データに追加された最新の通過履歴に含まれているセンサＩＤにより特定される通過検知センサ２の設置場所（以下、第一検知場所と呼ぶ）、およびこの最新の通過履歴より一つ前の通過履歴に含まれているセンサＩＤにより特定される通過検知センサ２の設置場所（以下、第二検知場所と呼ぶ）に基づいて、被訪問者の現在の滞在場所を推定する。例えば、第一検知場所が第二検知場所と異なる場合、被訪問者は第一検知場所に入室したものと判断し、被訪問者の現在の滞在場所を第一検知場所と推定する。また、第一検知場所が第二検知場所と同じである場合、被訪問者は第一検知場所（第二検知場所）から退室したものと判断し、被訪問者の現在の滞在場所を不明（移動中）と推定する。
【００２０】
そして、被訪問者が第一検知場所に入室したものと判断した場合、特定した訪問先の滞在変遷履歴データに、滞在場所を第一検知場所とし、かつ滞在場所の滞在開始日時を第一検知場所の通過履歴に含まれている受信日時とする滞在変遷履歴を追加する。一方、被訪問者が第一検知場所（第二検知場所）から退室したものと判断した場合、特定した訪問先の滞在変遷履歴データにおいて、滞在場所を第二検知場所（第一検知場所）とし、かつ滞在場所の滞在開始日時を第二検知場所の通過履歴に含まれている受信日時とする滞在変遷履歴に、滞在場所の滞在終了日時として、第一検知場所の通過履歴に含まれている受信日時を追加する。
【００２１】
つぎに、訪問者端末３が訪問者から優先順位取得操作を受け付けたものとする（Ｓ１０４）。これを受けて、訪問者端末３は、アクセスポイント５およびＷＡＮ４を介して訪問先管理装置１に優先順位取得要求を送信する（Ｓ１０５）。
【００２２】
訪問先管理装置１は、訪問者端末３から優先順位取得要求を受信すると、各訪問先Ａ〜Ｃの通過履歴データを参照して、訪問先Ａ〜Ｃの優先順位を決定する（Ｓ１０６）。
【００２３】
具体的には、訪問先Ａ〜Ｃ毎に、現在日時から所定時間内（例えば２４時間以内）の受信日時を含む通過履歴を訪問先の通過履歴データから検索し、検索した通過履歴の履歴数を通過回数に設定する。そして、訪問先Ａ〜Ｃの優先順位を通過回数の少ない順に設定する。ここで、通過回数が同じ訪問先が複数ある場合、これらの訪問先間の優先順位を、これらの訪問先の最新の通過履歴に含まれている受信日時の古い順に設定する。
【００２４】
訪問先管理装置１は、以上のようにして決定した優先順位を含む優先順位通知を、ＷＡＮ４およびアクセスポイント５を介して訪問者端末３に送信する（Ｓ１０７）。これを受けて、訪問者端末３は、訪問先管理装置１から受信した優先順位通知に従って訪問先Ａ〜Ｃの優先順位を表示する。これにより、訪問者は、訪問先Ａ〜Ｃの優先順位を参照して、訪問先Ａ〜Ｃの訪問順番を効率よく決定することができる。
【００２５】
つぎに、訪問者端末３が訪問者からいずれかの訪問先の動線取得操作を受け付けたものとする（Ｓ１０８）。これを受けて、訪問者端末３は、アクセスポイント５およびＷＡＮ４を介して訪問先管理装置１に、訪問先の訪問先ＩＤの指定を伴う動線取得要求を送信する（Ｓ１０９）。
【００２６】
訪問先管理装置１は、訪問者端末３から動線取得要求を受信すると、この動線取得要求で指定されている訪問先ＩＤにより特定される訪問先の滞在変遷履歴データを用いて、この訪問先の被訪問者の動線情報を生成する（Ｓ１１０）。
【００２７】
具体的には、現在日時から所定時間内（例えば８時間以内）の滞在開始日時を含む滞在変遷履歴を訪問先の滞在変遷履歴データから検索し、検索した滞在変遷履歴各々に含まれている滞在場所を、予め記憶されている訪問先の居宅内のマップデータ（間取りデータ）が示す訪問先の居宅内マップ上において、各滞在変遷履歴に含まれている滞在開始日時の順番で接続することにより、被訪問者の動線情報を生成する。
【００２８】
つぎに、訪問先管理装置１は、以上のようにして生成した訪問先の動線情報と、訪問先のマップデータと、を含む動線通知を生成して、この動線通知を、ＷＡＮ４およびアクセスポイント５を介して訪問者端末３に送信する（Ｓ１１１）。これを受けて、訪問者端末３は、訪問先管理装置１から受信した動線通知に含まれているマップデータが示す訪問先の居宅内マップを表示するとともに、この居宅内マップ上に、訪問先管理装置１から受信した動線通知に含まれている動線情報が示す被訪問者の動線を表示する。これにより、訪問者は、訪問先の被訪問者の移動状況を視覚的に把握することができる。
【００２９】
図３は、本実施の形態に係る訪問先管理システムの第二の動作例を説明するためのシーケンス図である。
【００３０】
図２に示す第一の動作例のＳ１００〜Ｓ１０３と同様に、訪問先Ａ〜Ｃ各々の居宅内に設置された通過検知センサ２は、被訪問者の通過を検知する都度、自通過検知センサ２のセンサＩＤおよび自通過検知センサ２が設置された訪問先の訪問先ＩＤを伴う検知信号を、アクセスポイント５およびＷＡＮ４を介して訪問先管理装置１に送信する（Ｓ１２０〜Ｓ１２２）。そして、訪問先管理装置１は、通過検知センサ２から検知信号を受信すると、この検知信号に付加されている訪問先ＩＤおよびセンサＩＤに基づいて、この通過検知センサ２が居宅内に設置されている訪問先の通過履歴データおよび滞在変遷履歴データを更新する（Ｓ１２３）。
【００３１】
さて、訪問先管理装置１は、訪問先Ａ〜Ｃ毎に、訪問先の滞在変遷履歴データに追加された最新の滞在変遷履歴に含まれている滞在場所が、浴室等の予め設定された要監視場所であるか否かを判断する。最新の滞在変遷履歴に含まれている滞在場所が要監視場所であると判断された訪問先があるならば、この滞在変遷履歴に含まれている滞在開始日時からの経過時間が、要監視場所に対応付けられて予め設定されている監視時間を超えているか否かを調べる。そして、滞在開始日時からの経過時間がこの監視時間を超えている場合、この訪問先に何らかの異常が発生したと推定し（Ｓ１２４）、この訪問先を優先的に訪問すべきことを訪問者に助言する優先訪問通知を、ＷＡＮ４およびアクセスポイント５を介して訪問者端末３に送信する（Ｓ１２５）。これを受けて、訪問者端末３は、訪問先管理装置１から受信した優先訪問通知を表示する。これにより、訪問者は、優先訪問通知で指摘されている訪問先の被訪問者に何らかの異常が発生した可能性があることを認識して、この訪問先を優先的に訪問することができる。
【００３２】
つぎに、訪問者端末３が訪問者から優先訪問通知で指摘されている訪問先の動線取得操作を受け付けると（Ｓ１２６）、図２に示す第一の動作例のＳ１０９〜Ｓ１１１と同様、訪問者端末３は、アクセスポイント５およびＷＡＮ４を介して訪問先管理装置１に、この訪問先の訪問先ＩＤの指定を伴う動線取得要求を送信する（Ｓ１２７）。そして、訪問先管理装置１は、訪問者端末３から受信した動線取得要求で指定されている訪問先の滞在変遷履歴データを用いて、この訪問先の被訪問者の動線情報を生成し（Ｓ１２８）、生成した動線情報および訪問先のマップデータを含む動線通知を、ＷＡＮ４およびアクセスポイント５を介して訪問者端末３に送信する（Ｓ１２９）。これを受けて、訪問者端末３は、訪問先管理装置１から受信した動線通知に含まれているマップデータが示す訪問先の居宅内マップを表示するとともに、この居宅内マップ上に、訪問先管理装置１から受信した動線通知に含まれている動線情報が示す被訪問者の動線を表示する。これにより訪問者は、訪問先の被訪問者の移動状況を視覚的に把握することができる。
【００３３】
つぎに、訪問先管理装置１の詳細を説明する。なお、訪問者端末３には、スマートホン、タブレットＰＣ等の既存のネットワーク端末を利用することができるので、その詳細な説明を省略する。
【００３４】
図４は、訪問先管理装置１の概略機能構成図である。
【００３５】
図示するように、訪問先管理装置１は、ネットワークインターフェース部１００と、通過検知センサ通信部１０１と、訪問者端末通信部１０２と、記憶部１０３と、通過状況管理部１０４と、優先順位決定部１０５と、滞在場所推定部１０６と、動線情報生成部１０７と、を備えている。
【００３６】
ネットワークインターフェース部１００は、ＷＡＮ４に接続するためのインターフェースである。
【００３７】
通過検知センサ通信部１０１は、ネットワークインターフェース部１００を介して通過検知センサ２と通信を行う。
【００３８】
訪問者端末通信部１０２は、ネットワークインターフェース部１００を介して訪問者端末３と通信を行う。
【００３９】
記憶部１０３は、訪問先データ記憶部１０８と、設置場所データ記憶部１０９と、通過履歴データ記憶部１１０と、滞在変遷履歴データ記憶部１１１と、を有する。
【００４０】
訪問先データ記憶部１０８には、訪問先Ａ〜Ｃ各々のデータが記憶されている。
【００４１】
図５は、訪問先データ記憶部１０８の登録内容例を模式的に表した図である。
【００４２】
図示するように、訪問先データ記憶部１０８には、訪問先Ａ〜Ｃ毎に訪問先データのレコード１０８０が記憶されている。訪問先データのレコード１０８０は、訪問先ＩＤを登録するフィールド１０８１と、被訪問者の氏名を登録するフィールド１０８２と、住所を登録するフィールド１０８３と、電話番号等の連絡先を登録するフィールド１０８４と、訪問先の宅内の間取りを示すマップデータを登録するフィールド１０８５と、を有する。
【００４３】
設置場所データ記憶部１０９は、訪問先Ａ〜Ｃ毎に、訪問先の居宅内に設置された通過検知センサ２の設置場所に関するデータが記憶されている。
【００４４】
図６は、設置場所データ記憶部１０９の登録内容例を模式的に表した図である。
【００４５】
図示するように、設置場所データ記憶部１０９には、訪問先Ａ〜Ｃ毎に設置場所データのテーブル１０９０が記憶されている。設置場所データのテーブル１０９０には、訪問先の居宅内に設置された通過検知センサ２毎に、設置場所データのレコード１０９１が登録されている。設置場所データのレコード１０９１は、センサＩＤを登録するフィールド１０９２と、出入口に通過検知センサ２が設置された部屋を設置場所として登録するフィールド１０９３と、この部屋の識別情報である部屋ＩＤを登録するフィールド１０９４と、マップデータ（図５参照）上におけるこの部屋の座標情報を登録するフィールド１０９５と、この部屋が被訪問者の滞在時間を監視する要監視場所に設定されている場合にその監視時間を登録するフィールド１０９６と、を有する。
【００４６】
図７は、通過履歴データ記憶部１１０の登録内容例を模式的に表した図である。
【００４７】
図示するように、通過履歴データ記憶部１１０には、訪問先Ａ〜Ｃ毎に通過履歴データのテーブル１１００が記憶されている。通過履歴データのテーブル１１００には、訪問先の居宅内に設置された通過検知センサ２から受信した検知信号毎に通過履歴データのレコード１１０１が登録される。通過履歴データのレコード１１０１は、検知信号の受信日時を登録するフィールド１１０２と、検知信号を送信した通過検知センサ２のセンサＩＤを登録するフィールド１１０３と、を有する。
【００４８】
図８は、滞在変遷履歴データ記憶部１１１の登録内容例を模式的に表した図である。
【００４９】
図示するように、滞在変遷履歴データ記憶部１１１には、訪問先Ａ〜Ｃ毎に滞在変遷履歴データのテーブル１１１０が記憶されている。滞在変遷履歴データのテーブル１１１０には、訪問先の居宅内において被訪問者の滞在部屋が変遷する毎に、滞在変遷履歴データのレコード１１１１が登録される。滞在変遷履歴データのレコード１１１１は、部屋ＩＤを登録するフィールド１１１２と、この部屋ＩＤが付与された部屋の滞在開始日時を登録するフィールド１１１３と、この部屋ＩＤが付与された部屋の滞在終了日時を登録するフィールド１１１４と、を有する。
【００５０】
通過状況管理部１０４は、訪問先Ａ〜Ｃ毎に、通過検知センサ２から送られてくる検知信号に基づいて、訪問先の居宅内に設けられた少なくとも一つの部屋の出入口における被訪問者の通過状況を管理する。そして、管理内容を通過履歴データ記憶部１１０および滞在変遷履歴データ記憶部１１１に反映する。
【００５１】
優先順位決定部１０５は、通過履歴データ記憶部１１０を参照して、訪問先Ａ〜Ｃ各々について、所定時間内（例えば２４時間以内）における被訪問者の通過回数を特定する。そして、訪問先Ａ〜Ｃ各々の被訪問者の、所定時間内における通過回数に基づいて、訪問先Ａ〜Ｃの優先順位を決定する。
【００５２】
滞在場所推定部１０６は、訪問先Ａ〜Ｃ毎に、通過履歴データ記憶部１１０および設置場所データ記憶部１０９を参照して、被訪問者の通過を最後に検知した通過検知センサ２の設置場所である第一検知場所、および被訪問者の通過を最後の一つ前に検知した通過検知センサ２の設置場所である第二検知場所を特定する。そして、特定した第一検知場所および第二検知場所に基づいて、被訪問者の滞在場所を推定する。
【００５３】
動線情報生成部１０７は、訪問先Ａ〜Ｃ毎に、訪問先データ記憶部１０８に記憶されている訪問先の居宅内のマップデータ、および滞在変遷履歴データ記憶部１１１を参照して、訪問先の居宅内における被訪問者の動線情報を生成する。
【００５４】
図９は、訪問先管理装置１の動作を説明するためのフロー図である。
【００５５】
通過状況管理部１０４は、滞在変遷履歴データ記憶部１１１および設置場所データ記憶部１０９を参照して、被訪問者が要監視場所に滞在中の訪問先が存在するか否かを判断する（Ｓ１）。
【００５６】
具体的には、訪問先Ａ〜Ｃ毎に、滞在変遷履歴データのテーブル１１１０において、フィールド１１１３に最新の滞在開始日時が登録され、かつフィールド１１１４に滞在終了日時が登録されていない滞在変遷履歴データのレコード１１１１を特定する。そして、このレコード１１１１のフィールド１１１２に登録されている部屋ＩＤをキーにして、設置場所データのテーブル１０９０から設置場所データのレコード１０９１を検索し、このレコード１０９１のフィールド１０９６に監視時間が設定されているか否かを判断する。そして、監視時間が設定されているならば、このレコード１０９１を有するテーブル１０９０に対応する訪問先を、訪問者が要監視場所に滞在中の訪問先と判断する。
【００５７】
被訪問者が要監視場所に滞在中の訪問先が存在するならば（Ｓ１でＹＥＳ）、通過状況管理部１０４は、この訪問先における被訪問者の要監視場所での滞在時間が所定の監視時間以上であるか否かを判断する（Ｓ２）。
【００５８】
具体的には、Ｓ１においてこの訪問先に対して特定した滞在変遷履歴データのレコード１１１１のフィールド１１１３に登録されている滞在開始日時からの経過時間が、Ｓ１においてこの訪問先に対して検索した設置場所データのレコード１０９１のフィールド１０９６に登録されている監視時間以上であるか否かを判断する。
【００５９】
つぎに、通過状況管理部１０４は、訪問先の要監視場所における被訪問者の滞在時間が所定の監視時間以上であるならば（Ｓ２でＹＥＳ）、訪問先データ記憶部１０８から、この訪問先の訪問先ＩＤ（滞在変遷履歴データのテーブル１１１０に対応付けられた訪問先ＩＤ）を含む訪問先データのレコード１０８０を特定するとともに、要監視場所の部屋ＩＤ（滞在変遷履歴データのレコード１１１１のフィールド１１１２に登録されている部屋ＩＤ）をキーにして、この訪問先に対応付けられて設置場所データ記憶部１０９に記憶されている設置場所データのテーブル１０９０から、設置場所データのレコード１０９１を特定する。そして、訪問者端末通信部１０２に、特定した訪問先データのレコード１０８０および設置場所データのレコード１０９１を渡して優先訪問通知の送信を指示する。
【００６０】
これを受けて、訪問者端末通信部１０２は、通過状況管理部１０４から受け取った訪問先データのレコード１０８０および設置場所データのレコード１０９１に基づいて、訪問先データのレコード１０８０により特定される訪問先へ優先的に連絡・訪問するよう訪問者に促す優先訪問通知を生成し、この優先訪問通知を、ネットワークインターフェース部１００を介して訪問者端末３に送信する（Ｓ３）。
【００６１】
図１０は、訪問者端末３に表示される優先訪問通知の一例を示す図である。
【００６２】
ここで、符号３００は、優先的に訪問すべき訪問先の氏名、住所、および連絡先であり、通過状況管理部１０４から受け取った訪問先データのレコード１０８０のフィールド１０８２〜１０８４の登録内容により特定される。また、符号３０１は、異常内容を示すメッセージであり、このメッセージ３０１には、通過状況管理部１０４から受け取った設置場所データのレコード１０９１のフィールド１０９３の登録内容（通過検知センサ２の設置場所）により特定される要監視場所の部屋名３０２が含まれる。また、符号３０３は、通過状況管理部１０４から受け取った訪問先データのレコード１０８０のフィールド１０８５の登録内容（マップデータ）により特定される訪問先の間取り図（居宅内マップ）であり、通過状況管理部１０４から受け取った設置場所データのレコード１０９１のフィールド１０９５の登録内容（座標情報）により特定される被訪問者が滞在中である要監視場所３０４が間取り図上で強調表示されている。なお、ここでは、被訪問者が滞在中である要監視場所３０４が浴室である場合を例示している。
【００６３】
図９に戻って説明を続ける。通過検知センサ通信部１０１がネットワークインターフェース部１００を介して通過検知センサ２から検知信号を受信すると（Ｓ４でＹＥＳ）、後述の通過履歴データ・滞在変遷履歴データ更新処理を実施する（Ｓ５）。
【００６４】
また、訪問者端末通信部１０２がネットワークインターフェース部１００を介して訪問者端末３から優先順位取得要求を受信すると（Ｓ６でＹＥＳ）、後述の優先順位決定処理を実施する（Ｓ７）。
【００６５】
さらに、訪問者端末通信部１０２がネットワークインターフェース部１００を介して訪問者端末３から動線取得要求を受信すると（Ｓ８でＹＥＳ）、後述の動線情報生成処理を実施する（Ｓ９）。
【００６６】
図１１は、図９に示す通過履歴データ・滞在変遷履歴データ更新処理Ｓ５を説明するためのフロー図である。
【００６７】
まず、通過検知センサ通信部１０１は、通過検知センサ２から受信した検知信号の受信日時と、この検知信号に付加されているセンサＩＤおよび訪問先ＩＤとを、通過状況管理部１０４に通知する。これを受けて、通過状況管理部１０４は、通過検知センサ通信部１０１から受け取った訪問先ＩＤに対応付けられて通過履歴データ記憶部１１０に記憶されている通過履歴データのテーブル１１００に、新たなレコード１１０１を追加する（Ｓ５０）。そして、このレコード１１０１のフィールド１１０２、１１０３に、通過検知センサ通信部１０１から受け取った受信日時、センサＩＤを登録する（Ｓ５１）。
【００６８】
つぎに、通過状況管理部１０４は、滞在場所推定部１０６に、通過検知センサ通信部１０１から受け取った訪問先ＩＤを通知して滞在場所の推定を指示する。これを受けて、滞在場所推定部１０６は、通過履歴データ記憶部１１０および設置場所データ記憶部１０９を参照して、通過状況管理部１０４から受け取った訪問先ＩＤにより特定される訪問先の居宅内における被訪問者の滞在場所を推定する（Ｓ５２）。
【００６９】
具体的には、滞在場所推定部１０６は、通過状況管理部１０４から受け取った訪問先ＩＤに対応付けられて通過履歴データ記憶部１１０に記憶されている通過履歴データのテーブル１１００から、フィールド１１０２に最新の受信日時が登録されている通過履歴データのレコード１１０１（以下、第１レコード１１０１と呼ぶ）、および最新の一つ前の受信日時が登録されている通過履歴データのレコード１１０１（以下、第２レコード１１０１と呼ぶ）を特定する。
【００７０】
つぎに、滞在場所推定部１０６は、通過状況管理部１０４から受け取った訪問先ＩＤに対応付けられて設置場所データ記憶部１０９に記憶されている設置場所データのテーブル１０９０から、第１レコード１１０１のフィールド１１０３に登録されているセンサＩＤがフィールド１０９２に登録されている設置場所データのレコード１０９１（以下、第３レコード１０９１と呼ぶ）、および第２レコード１１０１のフィールド１１０３に登録されているセンサＩＤがフィールド１０９２に登録されている設置場所データのレコード１０９１（以下、第４レコード１０９１と呼ぶ）を特定する。そして、第３レコード１０９１のフィールド１０９４に登録されている部屋ＩＤを第一検知場所の部屋ＩＤに設定するとともに、第４レコード１０９１のフィールド１０９４に登録されている部屋ＩＤを第二検知場所の部屋ＩＤに設定する。
【００７１】
それから、滞在場所推定部１０６は、第一検知場所の部屋ＩＤと第二検知場所の部屋ＩＤとを比較し、両者が異なるならば、被訪問者が第一検知場所に入室し、退室していないと判断し、被訪問者の現在の滞在場所を第一検知場所と推定する。一方、両者が一致するならば、被訪問者が第一検知場所から退室したものと判断し、被訪問者の現在の滞在場所を不明（移動中）と推定する。
【００７２】
つぎに、滞在場所推定部１０６は、被訪問者の現在の滞在場所を第一検知場所と推定した場合（Ｓ５２で「第一検知場所に入室」）、この推定結果を、訪問先ＩＤ、第一検知場所の部屋ＩＤ、および第１レコード１１０１のフィールド１１０２に登録されている受信日時とともに、通過状況管理部１０４に通知する。
【００７３】
これを受けて、通過状況管理部１０４は、滞在場所推定部１０６から受け取った訪問先ＩＤに対応付けられて滞在変遷履歴データ記憶部１１１に記憶されている滞在変遷履歴データのテーブル１１１０に、新たなレコード１１１１を追加する（Ｓ５３）。そして、追加したレコード１１１１のフィールド１１１２に、滞在場所推定部１０６から受け取った第一検知場所の部屋ＩＤを登録するとともに、このレコード１１１１のフィールド１１１３に、滞在場所推定部１０６から受け取った受信日時を滞在開始日時として登録する（Ｓ５４）。
【００７４】
一方、滞在場所推定部１０６は、被訪問者の現在の滞在場所を不明（移動中）と推定した場合（Ｓ５２で「第一検知場所から退室」）、この推定結果を、訪問先ＩＤ、第一検知場所（第二検知場所）の部屋ＩＤ、第１レコード１１０１のフィールド１１０２に登録されている受信日時、および、第２レコード１１０１のフィールド１１０２に登録されている受信日時とともに、通過状況管理部１０４に通知する。
【００７５】
これを受けて、通過状況管理部１０４は、滞在場所推定部１０６から受け取った訪問先ＩＤに対応付けられて滞在変遷履歴データ記憶部１１１に記憶されている滞在変遷履歴データのテーブル１１１０から、滞在場所推定部１０６から受け取った第一検知場所（第二検知場所）の部屋ＩＤがフィールド１１１２に登録されているとともに、滞在場所推定部１０６から受け取った第２レコード１１０１のフィールド１１０２に登録されている受信日時が滞在開始日時としてフィールド１１１３に登録されており、かつ、フィールド１１１４が未登録（空欄）のレコード１１１１を特定する（Ｓ５５）。そして、特定したレコード１１１１のフィールド１１１４に、滞在場所推定部１０６から受け取った第１レコード１１０１のフィールド１１０２に登録されている受信日時を滞在終了日時として登録する（Ｓ５６）。
【００７６】
図１２は、図９に示す優先順位決定処理Ｓ７を説明するためのフロー図である。
【００７７】
まず、訪問者端末通信部１０２は、訪問者端末３から受信した優先順位取得要求を通過状況管理部１０４に通知する。これを受けて、通過状況管理部１０４は、優先順位決定部１０５に優先順位の決定を指示する。優先順位決定部１０５は、訪問先Ａ〜Ｃ毎に、訪問先に対応付けられて通過履歴データ記憶部１１０に記憶されている通過履歴データのテーブル１１００から、フィールド１１０２に登録されている受信日時が現在日時から所定時間内（例えば２４時間以内）であるレコード１１０１を検索し、検索にヒットしたレコード数を、訪問先における所定時間内の通過回数に設定する（Ｓ７０）。
【００７８】
つぎに、優先順位決定部１０５は、訪問先Ａ〜Ｃの優先順位を、以上にようにして設定した所定時間内の通過回数の少ない順に決定する（Ｓ７１）。ここで、所定時間内の通過回数が同数の訪問先が複数存在する場合（Ｓ７２でＹＥＳ）、これらの訪問先各々について、訪問先に対応付けられて通過履歴データ記憶部１１０に記憶されている通過履歴データのテーブル１１００から、最新の受信日時（以下、最終通過日時と呼ぶ）がフィールド１１０２に登録されているレコード１１０１を検索する。そして、所定時間内の通過回数が同数の訪問先間の優先順位を最終通過日時の古い順に決定する（Ｓ７３）。
【００７９】
つぎに、優先順位決定部１０５は、訪問先Ａ〜Ｃ毎に、訪問先に対応付けられて滞在変遷履歴データ記憶部１１１に記憶されている滞在変遷履歴データのテーブル１１１０から、フィールド１１１３に登録されている滞在開始日時が最新のレコード１１１１を検索し、このレコード１１１１のフィールド１１１４が未登録（空欄）ならば、このレコード１１１１のフィールド１１１２に登録されている部屋ＩＤにより特定される部屋を滞在場所として特定するとともに、フィールド１１１３に登録されている滞在開始日時からの経過時間を滞在時間として特定する。一方、フィールド１１１４に滞在終了日時が登録済みならば、滞在場所を不明（移動中）とする（Ｓ７４）。
【００８０】
つぎに、優先順位決定部１０５は、訪問先Ａ〜Ｃ毎に、訪問先ＩＤ、所定時間内の通過回数、優先順位、滞在場所、および滞在時間を、通過状況管理部１０４に通知する。これを受けて、通過状況管理部１０４は、訪問先データ記憶部１０８から訪問先Ａ〜Ｃ各々の氏名を取得し、訪問先Ａ〜Ｃ毎に、訪問先ＩＤ、氏名、所定時間内の通過回数、優先順位、滞在場所、および滞在時間を、訪問者端末通信部１０２に通知して、優先順位通知の送信を指示する。
【００８１】
これを受けて、訪問者端末通信部１０２は、通過状況管理部１０４から受け取った訪問先Ａ〜Ｃ各々の訪問先ＩＤ、氏名、所定時間内の通過回数、優先順位、滞在場所、および滞在時間に基づいて、訪問先Ａ〜Ｃの優先順位を訪問者に知らせるための優先順位通知を生成し、この優先順位通知を、ネットワークインターフェース部１００を介して訪問者端末３に送信する（Ｓ７５）。
【００８２】
図１３は、訪問者端末３に表示される優先順位通知の一例を示す図である。
【００８３】
ここで、符号３１０は、訪問先Ａ〜Ｃ各々の被訪問者の居宅内における移動状況を示す移動状況データであり、訪問者端末通信部１０２が通過状況管理部１０４から受け取った優先順位３１１、氏名３１２、所定時間内の通過回数３１３、滞在場所３１４、および滞在時間３１５と、この移動状況データ３１０に対応する訪問先を選択するための選択ボックス３１６と、を含む。これらの移動状況データ３１０は、優先順位３１１に従って表示される。また、符号３１７は、選択ボックス３１６にチェックが入れられた移動状況データ３１０に対応する訪問先の訪問先ＩＤを伴う動線取得要求を訪問先管理装置１に送信するためのボタンである。
【００８４】
図１４は、図９に示す動線情報生成処理Ｓ９を説明するためのフロー図である。
【００８５】
まず、訪問者端末通信部１０２は、訪問者端末３から受信した動線取得要求を通過状況管理部１０４に通知する。これを受けて、通過状況管理部１０４は、動線情報生成部１０７に、動線取得要求で指定されている訪問先ＩＤを通知して、動線情報の生成を指示する。動線情報生成部１０７は、通過状況管理部１０４から受け取った訪問先ＩＤに対応付けられて滞在変遷履歴データ記憶部１１１に記憶されている滞在変遷履歴データのテーブル１１１０から、フィールド１１１３に登録されている滞在開始日時が現在日時から所定時間内（例えば８時間以内）であるレコード１１１１を検索する（Ｓ９０）。
【００８６】
つぎに、動線情報生成部１０７は、検索した滞在変遷履歴データのレコード１１１１毎に、通過状況管理部１０４から受け取った訪問先ＩＤに対応付けられて設置場所データ記憶部１０９に記憶されている設置場所データのテーブル１０９０から、滞在変遷履歴データのレコード１１１１のフィールド１１１２に登録されている部屋ＩＤがフィールド１０９４に登録されている設置場所データのレコード１０９１を検索する（Ｓ９１）。
【００８７】
それから、動線情報生成部１０７は、通過状況管理部１０４から受け取った訪問先ＩＤがフィールド１０８１に登録されている訪問先データのレコード１０８０を訪問先データ記憶部１０８から検索し、この訪問先データのレコード１０８０のフィールド１０８５に登録されているマップデータ（通過状況管理部１０４から受け取った訪問先ＩＤにより特定される訪問先のマップデータ）と、以上のようにして検索した滞在変遷履歴データのレコード１１１１および設置場所データのレコード１０９１とに基づいて、動線情報を生成する（Ｓ９２）。
【００８８】
具体的には、フィールド１１１３に登録されている滞在開始日時の古い順番に従って、検索された滞在変遷履歴データのレコード１１１１に滞在順番を付与する。そして、通過状況管理部１０４から受け取った訪問先ＩＤにより特定される訪問先のマップデータが示す訪問先の居宅内マップ上において、検索された滞在変遷履歴データのレコード１１１１毎に、この滞在変遷履歴データのレコード１１１１のフィールド１１１２に登録されている部屋ＩＤがフィールド１０９４に登録されている設置場所データのレコード１０９１のフィールド１０９５に登録されている座標情報により特定される地点付近に、この滞在変遷履歴データのレコード１１１１に付与された滞在順番を示す滞在マークを配置する。また、以上のようにして訪問先の居宅内マップ上に配置された滞在マークを滞在順番に従って移動線マークにより接続する。そして、これらの滞在マークおよび滞在マーク間の接続状態を訪問先の居宅内マップ上に描画するための情報を動線情報として生成する。
【００８９】
つぎに、動線情報生成部１０７は、動線情報を生成したならば、検索された滞在変遷履歴データのレコード１１１１毎に、この滞在変遷履歴データのレコード１１１１のフィールド１１１３、１１１４に登録されている滞在開始日時、滞在終了日時を、この滞在変遷履歴データのレコード１１１１に付与された滞在順番に対応付ける。それから、動線情報と、この動線情報に含まれている滞在マーク各々が示す滞在順番に対応付けられた滞在開始日時および滞在終了日時とを、訪問先ＩＤともに、通過状況管理部１０４に通知する。
【００９０】
これを受けて、通過状況管理部１０４は、動線情報生成部１０７から受け取った訪問先ＩＤにより特定される訪問先の氏名、住所、連絡先、およびマップデータを訪問先データ記憶部１０８から取得する。そして、動線情報生成部１０７から受け取った動線情報と、この動線情報に含まれている滞在マーク各々が示す滞在順番に対応付けられた滞在開始日時および滞在終了日時とを、取得した訪問先の氏名、住所、連絡先、およびマップデータとともに、訪問者端末通信部１０２に通知して、動線通知の送信を指示する。
【００９１】
これを受けて、訪問者端末通信部１０２は、通過状況管理部１０４から受け取った動線情報と、この動線情報に含まれている滞在マーク各々が示す滞在順番に対応付けられた滞在開始日時および滞在終了日時と、訪問先の氏名、住所、連絡先、およびマップデータとを含む動線通知を生成し、この動線通知を、ネットワークインターフェース部１００を介して訪問者端末３に送信する（Ｓ９３）。
【００９２】
図１５は、訪問者端末３に表示される動線通知の一例を示す図である。
【００９３】
ここで、符号３２０は、動線通知に含まれている訪問先の氏名、住所、および連絡先である。また、符号３２１は、動線通知に含まれている訪問先のマップデータにより特定される訪問先の間取り図（居宅内マップ）であり、符号３２２、３２３は、動線通知に含まれている動線情報により特定される滞在マーク、および滞在順番に従って滞在マーク間を接続する移動線マークである。また、符号３２４は、被訪問者の居宅内における各部屋の滞在変遷状況を示す滞在変遷状況データであり、動線通知に含まれている滞在マーク３２２各々が示す滞在順番毎に、滞在順番３２５と、この滞在順番３２５に対応付けられて動線通知に含まれている滞在開始日時３２６および滞在終了日時３２７と、を含む。
【００９４】
以上、本発明の一実施の形態について説明した。
【００９５】
本実施の形態において、訪問先管理装置１は、訪問先Ａ〜Ｃの居宅内の少なくとも一つの部屋の出入口に設置された通過検知センサ２からの検知信号に基づいて、被訪問者の通過回数を管理する。そして、訪問先Ａ〜Ｃ各々の所定時間内における被訪問者の通過回数に基づいて、訪問先Ａ〜Ｃの優先順位を決定する。したがって、本実施の形態によれば、被訪問者が何らかの理由により居宅内を移動できない等、異常の可能性の高い訪問先Ａ〜Ｃを優先的に訪問することができ、無駄な訪問業務を増やすことなく、異常の早期発見が可能となり、訪問業務の効率化を図ることができる。
【００９６】
また、本実施の形態において、訪問先管理装置１は、訪問先Ａ〜Ｃ毎に、通過回数に加えて、居宅内に設置された通過検知センサ２により検知された被訪問者の通過日時（通過検知センサ２より送信された検知信号の受信日時）を管理しており、通過回数が同数である訪問先が複数存在する場合、これら複数の訪問先間の優先順位を、最終通過日時（検知信号の最新の受信日時）の古い順番に決定している。したがって、本実施の形態によれば、通過回数が同数である訪問先間の優先順位を、被訪問者の移動を確認できていない時間が長いものから順番に決定することができ、これにより、訪問業務の更なる効率化を図ることができる。
【００９７】
また、本実施の形態において、訪問先管理装置１は、訪問先Ａ〜Ｃ毎に、通過回数および通過日時に加えて、被訪問者の通過を検知した通過検知センサ２の設置場所を管理しており、被訪問者の通過を最後に検知した通過検知センサ２の設置場所（第一検知場所）、および被訪問者の通過を最後の一つ前に検知した通過検知センサ２の設置場所（第二検知場所）に基づいて、被訪問者の滞在場所を推定する。また、訪問先管理装置１は、通過検知センサ２の設置場所の少なくとも一つを要監視場所に設定しており、推定された被訪問者の滞在場所が要監視場所と推定された訪問先がある場合、最終通過日時からの経過時間が所定の監視時間以上ならば、通過回数にかかわらず、この訪問先の訪問を優先するように優先訪問通知を生成する。したがって、本実施の形態によれば、浴室に異常に長く滞在している場合等、確認の緊急性が高い訪問先を優先させることができ、これにより、訪問業務の更なる効率化を図ることができる。
【００９８】
また、本実施の形態において、訪問先管理装置１は、訪問先Ａ〜Ｃ各々の居宅内のマップデータを記憶するとともに、訪問先Ａ〜Ｃ毎に、被訪問者の滞在場所の変遷履歴を管理している。そして、訪問先管理装置１は、訪問者端末３から訪問先ＩＤの指定を伴う動線取得要求を受信した場合に、この訪問先ＩＤにより特定される訪問先の居宅内のマップデータ、およびこの訪問先の居宅内における被訪問者の滞在場所の変遷履歴に基づいて、この訪問先の居宅内における被訪問者の動線情報を生成する。そして、生成した動線情報およびこの訪問先ＩＤにより特定される訪問先の居宅内のマップデータを含む動線通知を訪問者端末３に送信する。したがって、本実施の形態によれば、訪問者端末３のユーザである訪問者は、訪問先の居宅内における被訪問者の移動状況を視覚的に把握して、この訪問先への訪問の緊急度合いを判断することができ、これにより、訪問業務の更なる効率化を図ることができる。
【００９９】
なお、本発明は上記の各実施の形態に限定されるものではなく、その要旨の範囲内で数々の変形が可能である。
【０１００】
例えば、上記の実施の形態において、図４に示す訪問先管理装置１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるか、ＤＳＰ（Ｄｉｇｉｔａｌ  Ｓｉｇｎａｌ  Ｐｒｏｃｅｓｓｏｒ）等の計算機によりソフトウエア的に実現される。あるいは、ＣＰＵと、メモリと、ハードディスク、フラッシュメモリ等の補助記憶装置と、ＮＩＣ（Ｎｅｔｗｏｒｋ  Ｉｎｔｅｒｆａｃｅ  Ｃａｒｄ）等の通信インターフェースと、を備えたＰＣ等の汎用コンピュータにおいて、ＣＰＵが所定のプログラムを補助記憶装置からメモリ上にロードして実行することにより実現される。
【０１０１】
また、上記の実施の形態では、訪問者端末３が無線端末である場合を例にとり説明したが、訪問者端末３は有線端末であってもよい。また、訪問者端末３は、訪問先管理装置１と同じ装置上に実現されていてもよい。
【０１０２】
また、居宅内の部屋の出入口だけでなく、例えば、居宅の出入口（玄関等）にも通過検知センサを配置しておき、在宅中の訪問先のみ優先順位を付けてもよい。また、訪問先によっては、外出が検知された訪問先を最優先で訪問するようにしてもよい。
【符号の説明】
【０１０３】
１：訪問先管理装置    ２：通過検知センサ    ３：訪問者端末    ４：ＷＡＮ    ５：アクセスポイント    １００：ネットワークインターフェース部    １０１：通過検知センサ通信部    １０２：訪問者端末通信部    １０３：記憶部    １０４：通過状況管理部    １０５：優先順位決定部    １０６：滞在場所推定部    １０７：動線情報生成部    １０８：訪問先データ記憶部    １０９：設置場所データ記憶部    １１０：通過履歴データ記憶部    １１１：滞在変遷履歴データ記憶部
【図１】
2019194812.tif 000003
【図２】
2019194812.tif 000004
【図３】
2019194812.tif 000005
【図４】
2019194812.tif 000006
【図５】
2019194812.tif 000007
【図６】
2019194812.tif 000008
【図７】
2019194812.tif 000009
【図８】
2019194812.tif 000010
【図９】
2019194812.tif 000011
【図１０】
2019194812.tif 000012
【図１１】
2019194812.tif 000013
【図１２】
2019194812.tif 000014
【図１３】
2019194812.tif 000015
【図１４】
2019194812.tif 000016
【図１５】
2019194812.tif 000017